(57)【要約】再同期を軽減するために、パケットデータセッションと関係付けられるＲＬＰ同期制御フレームに順序番号を付けることができる。１つの順序番号は、パケットデータセッションの起動と関係付けられる全同期手続きに対して割り当てられる。例えば、順序番号は、特定のパケットデータセッションの全同期制御フレーム（ＳＹＮＣ、ＳＹＮＣ／ＡＣＫ、ＡＣＫ）において同じままである。同期フレームが、１つの順序内で、順序が狂って受信されると、これをある条件のもとで無視することができる。例えば、順序番号０をもつＳＹＮＣフレームが、順序番号０をもつＡＣＫフレームが受信された後で、順番が狂って受信されるとき、移動局は、順番が狂ったＳＹＮＣフレームを無視することができる。したがって、順番が狂ったＲＬＰ同期パケットによって、ＲＬＰの再同期が避けられる。【特許請求の範囲】
【請求項１】
第１の無線通信装置（wireless communication device, WCD）と第２のＷＣＤとの間のパケットデータセッションの再同期を軽減する方法であって、
第１の順序番号をＳＹＮＣフレームの第１の組に割り当てることであって、ＳＹＮＣフレームの第１の組が、第１のＷＣＤと第２のＷＣＤとの間の第１のパケットデータセッションに対応し、ＳＹＮＣフレームの第１の組が、送信のために順次に順番を付けられたサブパケットの第１の組の中にカプセル化されることと、
第１のＷＣＤによって、順次に順番を付けられたサブパケットの第1の組を送ることと、
第２のＷＣＤによって、順次に順番を付けられたサブパケットの送信された第１の組の第１のサブセットを受信することと、
第２のＷＣＤによって、順次に順番を付けられたサブパケットの第１の組の受信された第1のサブセットを復号することを試みることと、
第２のＷＣＤによって、復号に成功した順次に順番を付けられたサブパケットの第１の組の受信された第１のサブセットのサブパケットに対して、第１の順序番号を割り当てられたＳＹＮＣ／ＡＣＫフレームを送ることと、
第１のＷＣＤによって、送られたＳＹＮＣ／ＡＣＫフレームを受信することと、
第１のＷＣＤによって、ＳＹＮＣ／ＡＣＫ信号の受信に応答して、第1の順序番号を割り当てられたＡＣＫフレームを送ることと、
第２のＷＣＤによって、送られたＡＣＫフレームを受信することと、
第２のＷＣＤによって、ＡＣＫフレームの受信後に受信された順次に順番を付けられたサブパケットの送信された第1の組の受信された第１のサブセットのサブパケットを、第１の順序番号にしたがって識別することと、
順次に順番を付けられたサブパケットの送信された第1の組の受信された第1のサブセットの識別されたサブパケットに応答して、再同期しないこととを含む方法。
【請求項２】
第２の順序番号をＳＹＮＣフレームの第２の組に割り当てることであって、ＳＹＮＣフレームの第２の組が、第１のＷＣＤと第３のＷＣＤとの間の第２のパケットデータセッションに対応し、ＳＹＮＣフレームの第２の組が、送信のために順次に順番を付けられたサブパケットの第２の組の中にカプセル化されることと、
第１のＷＣＤによって、順次に順番を付けられたサブパケットの第２の組を送ることと、
第３のＷＣＤによって、順次に順番を付けられたサブパケットの送信された第２の組の第２のサブセットを受信することとをさらに含む請求項１記載の方法。
【請求項３】
第２のＷＣＤによって、復号に成功しなかった順次に順番を付けられたサブパケットの第1の組の受信された第１のサブセットのサブパケットに対して、ＮＡＫ信号を送ることと、
第１のＷＣＤによって、送られたＮＡＫ信号を受信することとをさらに含む請求項１記載の方法。
【請求項４】
第２のＷＣＤによって、ＡＣＫフレームの受信後に、第１のＷＣＤと第２のＷＣＤとの間でパケットデータを送ることをさらに含む請求項１記載の方法。
【請求項５】
無線通信装置（ＷＣＤ）によってパケットデータセッションの再同期を軽減する方法であって、
サブパケットの第1の組の第１のサブセットを受信することであって、ＳＹＮＣフレームの第１の組が、サブパケットの第1の組の中にカプセル化され、第１の順序番号が、ＳＹＮＣフレームの第１の組に割り当てられ、ＳＹＮＣフレームの第１の組が、第１のパケットデータセッションに対応することと、
サブパケットの第１の組の受信された第１のサブセットを復号することを試みることと、
復号に成功したサブパケットの第１の組の受信された第１のサブセットのサブパケットに対して、第１の順序番号を割り当てられたＳＹＮＣ／ＡＣＫフレームを送ることと、
第１の順序番号をもつＡＣＫフレームを受信することと、
ＡＣＫフレームの受信後に受信されたサブパケットの第１の組の受信された第1のサブセットのサブパケットを、第１の順序番号にしたがって識別することと、
順次に順番を付けられたサブパケットの送信された第１の組の受信された第１のサブセットの識別されたサブパケットに応答して、再同期しないこととを含む方法。
【請求項６】
ＡＣＫフレームの受信後に、パケットデータを送ることをさらに含む請求項５記載の方法。
【請求項７】
ＷＣＤによって、順次に順番を付けられたサブパケットの第２の組の第２のサブセットを受信することであって、順次に順番を付けられたサブパケットの第２の組が、ＳＹＮＣフレームの第２の組をカプセル化し、ＳＹＮＣフレームの第２の組が、第２の順序番号を割り当てられ、ＳＹＮＣフレームの第２の組が、第２のパケットデータセッションに対応することをさらに含む請求項５記載の方法。
【請求項８】
ＷＣＤによって、復号に成功しなかった順次に順番を付けられたサブパケットの第１の組の受信された第１のサブセットのサブパケットに対して、ＮＡＫ信号を送ることをさらに含む請求項５記載の方法。
【請求項９】
パケットデータセッションの再同期を軽減する無線通信装置（ＷＣＤ）であって、
サブパケットの第１の組の第１のサブセットを受信するように構成された無線周波数ユニットであって、ＳＹＮＣフレームの第１の組が、サブパケットの第１の組の中にカプセル化され、第１の順序番号が、ＳＹＮＣフレームの第１の組に割り当てられ、ＳＹＮＣフレームの第１の組が、第１のパケットデータセッションに対応する無線周波数ユニットと、
サブパケットの第１の組の受信された第1のサブセットを復号することを試みるように構成された論理および処理ユニットとを含み、
無線周波数ユニットが、復号に成功したサブパケットの第１の組の受信された第1のサブセットのサブパケットに対して、第１の順序番号を割当てられたＳＹＮＣ／ＡＣＫフレームを送り、第１の順序番号をもつＡＣＫフレームを受信するようにも構成されていることと、
論理および処理ユニットが、ＡＣＫフレームの受信後に受信されたサブパケットの第１の組の受信された第1のサブセットのサブパケットを、第１の順序番号にしたがって識別し、順次に順番を付けられたサブパケットの送信された第1の組の受信された第１のサブセットの識別されたサブパケットに応答して、ＷＣＤを再同期しないようにも構成されている無線通信装置。
【請求項１０】
無線周波数ユニットが、ＡＣＫフレームの受信後にパケットデータを送るようにも構成されている請求項９記載の無線通信装置。
【請求項１１】
無線周波数ユニットが、順次に順番を付けられたサブパケットの第２の組の第２のサブセットを受信するようにも構成されていて、順次に順番を付けられたサブパケットの第２の組が、ＳＹＮＣフレームの第２の組をカプセル化し、ＳＹＮＣフレームの第２の組が、第２の順序番号を割り当てられ、ＳＹＮＣフレームの第２の組が、第２のパケットデータセッションに対応する請求項９記載の無線通信装置。
【請求項１２】
無線周波数ユニットが、復号に成功しなかった順次に順番を付けられたサブパケットの第1の組の受信された第１のサブセットのサブパケットに対して、ＮＡＫ信号を送るようにも構成されている請求項９記載の無線通信装置。
【請求項１３】
無線通信装置（ＷＣＤ）によってパケットデータセッションの再同期を軽減する装置であって、
サブパケットの第１の組の第1のサブセットを受信する手段であって、ＳＹＮＣフレームの第１の組が、サブパケットの第1の組の中にカプセル化され、第１の順序番号が、ＳＹＮＣフレームの第１の組に割り当てられ、ＳＹＮＣフレームの第1の組が、第１のパケットデータセッションに対応する手段と、
サブパケットの第１の組の受信された第１のサブセットを復号することを試みる手段と、
復号に成功したサブパケットの第１の組の受信された第１のサブセットのサブパケットに対して、第１の順序番号を割り当てられたＳＹＮＣ／ＡＣＫフレームを送る手段と、
第１の順序番号をもつＡＣＫフレームを受信する手段と、
ＡＣＫフレームの受信後に受信されたサブパケットの第１の組の受信された第１のサブセットのサブパケットを、第１の順序番号にしたがって識別する手段と、
順次に順番を付けられたサブパケットの送信された第１の組の受信された第１のサブセットの識別されたサブパケットに応答して、再同期しない手段とを含む装置。
【発明の詳細な説明】
【技術分野】
【０００１】
本発明は、概ね、無線通信に関し、とくに、無線通信のプロトコルに関する。
【背景技術】
【０００２】
ＩＳ−２０００、リリースＣ（cdma2000 1x-EVDVとしても知られている）の順方向パケットデータチャネル（forward packet data channel, F-PDCH）は、多数のハイブリッド自動反復要求（Hybrid Automatic Repeat Request, HARQ）論理チャネルから構成されている。論理チャネルは、時分割多元接続（time division multiple access, TDMA）チャネルであってもよく、各チャネルは、Ｆ−ＰＤＣＨの時間スロットを割り当てられる。
【０００３】
各受信側無線通信装置（wireless communication device, WCD）には、ＨＡＲＱ論理チャネルの１つ以上を割り当てることができる。受信側ＷＣＤに宛てられたサブパケットは、ＨＡＲＱチャネルに割り当てることができる。送信側ＷＣＤは、割り当てられたサブパケットを、対応するＨＡＲＱチャネル上で送信することができる。
【０００４】
cdma2000 1xEV-DVによって定められている通信プロトコルは、層の中でも、とくに、無線リンクプロトコル（Radio Link Protocol, RLP）層および物理（Physical, PHY）層を含む。ＲＬＰ層はＲＬＰフレームを与え、次に、ＲＬＰフレームは符号化されて、ＰＨＹ層へ与えられる。ＰＨＹ層では、ＲＬＰフレーム内のデータを、ＨＡＲＱチャネル上で送信するために、サブパケット内へ符号化する。
【０００５】
ＲＬＰフレームは、同期制御フレームである。同期制御フレームは、送信側ＷＣＤと受信側ＷＣＤとの間のパケットデータセッションの始めに、通信を設定するのに使用される。同期が設定された後は、セッション中は、データパケットを送ることができる。
【０００６】
ＲＬＰ同期手続きにおいて、送信側ＷＣＤおよび受信側ＷＣＤは、対称三路ハンドシェイク手続きに参加する。手続きは、２つのＷＣＤがＲＬＰ同期制御フレームを交換することを含むことができる。同期制御フレームは、ＳＹＮＣフレーム、ＳＹＮＣ／ＡＣＫフレーム、およびＡＣＫフレームを含むことができる。
【０００７】
例えば、移動セルラ電話のような、受信側ＷＣＤでは、ユーザが移動セルラ電話の送信ボタンを押すことによって、パケットデータセッションを起動することができる。応答して、移動セルラ電話を含む地理的領域をカバーしているセクタにサービスするセルラ基地局のような、送信側ＷＣＤは、ＨＡＲＱチャネル上でＳＹＮＣフレームを送ることができる。通常、基地局は、多数の冗長のＳＹＮＣフレームを送って、移動局と確実なパケットデータセッションを設定する。
【０００８】
ＳＹＮＣフレームの受信および復元に応答して、移動セルラ電話は、対応するＳＹＮＣ／ＡＣＫフレームを送ることができる。ＳＹＮＣ／ＡＣＫフレームは、ＳＹＮＣフレームが復元されたことを示す。
基地局は、ＳＹＮＣ／ＡＣＫフレームを復元すると、ＨＡＲＱチャネル上でＡＣＫフレームをセルラ電話へ送ることができる。ＡＣＫフレームの復号に成功すると、セルラ電話は、基地局とセルラ電話とが同期していることを認識し、パケットデータの送信を開始することができる。
【０００９】
各ＨＡＲＱチャネルは、ＰＨＹ層に再送機構をもつ。受信側ＷＣＤは、ＰＨＹ層において送信されたサブパケットを受信し、復元することに成功すると、ＰＨＹ層においてサブパケットの復元に成功したことを示すＡＣＫ信号を送ることができる。受信側ＷＣＤは、送信されたサブパケットを受信または復元しないときは、ＰＨＹ層においてＳＹＮＣフレームが復元されなかったことを示すＮＡＫ信号を送ることができる。送信側ＷＣＤは、ＮＡＫ信号を受信すると、復元されていないサブパケットを再送することができる。
【００１０】
サブパケットを個別にスケジュールすることができる２本以上のＨＡＲＱ論理チャネルがあること、および各ＨＡＲＱ論理チャネルが自分自身の再送機構をもつことのために、受信側ＷＣＤは、特定のパケットデータセッションの起動と関係付けられていて、送信の順番が狂っていて、かつ送信側ＷＣＤと受信側ＷＣＤとのパケットデータセッションの起動後に、多数のＳＹＮＣフレームの１つ以上を受信することがある。
【００１１】
何れかのＷＣＤが、順序が狂った同期制御フレームを受信すると、ＲＬＰ層は、通常はリセットされる。Ｆ−ＰＤＣＨ上でサブパケットを再送すると、特定のパケットデータセッションと関係付けられるＲＬＰ同期フレームが、順番が狂って受信され、不要な再同期を行うことがある。
【発明の開示】
【発明が解決しようとする課題】
【００１２】
したがって、特定のデータセッションの起動と関係付けられるＲＬＰ同期フレームが、順次の順番が狂って受信されるとき、再同期を軽減する必要がある。
【発明を実施するための最良の形態】
【００１３】
再同期を軽減するために、パケットデータセッションと関係付けられるＲＬＰ同期制御フレームに、順序番号を付けることができる。１つの順序番号を、パケットデータセッションの起動と関係付けられる全同期手続きに割り当てることができる。例えば、順序番号は、特定のパケットデータセッションの全同期制御フレーム（ＳＹＮＣ、ＳＹＮＣ／ＡＣＫ、ＡＣＫ）において同じままである。同期フレームが、１つの順序の中で、順番が狂って受信されるとき、これを、ある一定の条件のもとで無視することができる。例えば、順序番号０のＡＣＫフレームが受信された後で、順序番号０のＳＹＮＣフレームが、順番が狂って受信されると、移動局は、順番が狂ったＳＹＮＣフレームを無視することができる。したがって、順番が狂ったＲＬＰ同期パケットによって、ＲＬＰの再同期が避けられる。
【００１４】
全ＲＬＰ同期手続きごとに１回、順序番号をインクリメントすることができるので、順序空間が小さくなる。２の順序空間を与えるには、１ビットの順序番号で十分である。
図１は、同期手続きのタイミング図である。
cdma2000 1xEV-DVシステム上で、ＲＬＰ同期手続きを開始するときに、第１のＷＣＤと第２のＷＣＤとの間でパケットデータセッションの再同期を軽減するこの例では、基地局（base station, BS）100は、順序番号“１”を、基地局のＲＬＰ層からＰＨＹ層へ送られる４つのＳＹＮＣフレームの第１の組、すなわちＳＹＮＣ１−１、ＳＹＮＣ１−２、ＳＹＮＣ１−３、ＳＹＮＣ１−４に割り当てる。ＳＹＮＣフレームの第１の組は、基地局100と移動局（mobile station, MS）102との間の第１のパケットデータセッションに対応する。
【００１５】
ＰＨＹ層において、ＳＹＮＣフレームの第１の組は、Ｆ−ＰＤＣＨ上で送信するために順次に順番を付けられたサブパケットの第１の組の中にカプセル化される。この例では、説明を明らかにするために、ＳＹＮＣ１−１およびＳＹＮＣ１−２を含むサブパケットのみが送信されるように示されている。基地局は、Ｆ−ＰＤＣＨのＴＤＭＡのＨＡＲＱ論理チャネルを使用して、Ｆ−ＰＤＣＨ上で、順次に順番を付けられたサブパケットの第１の組を送る。
【００１６】
同様に、基地局100は、第２の順序番号“２”を、ＳＹＮＣフレームの第２の組、すなわちＳＹＮＣ２−１、ＳＹＮＣ２−２、ＳＹＮＣ２−３、ＳＹＮＣ２−４に割り当てることができる。ＳＹＮＣフレームの第２の組は、基地局と第２の移動局（図示されていない）との間の第２のパケットデータセッションに対応する。基地局は、サブパケットの第２の組を、送信のために順次に順番を付けて、ＳＹＮＣフレームの第２の組をカプセル化して送ることができる。
【００１７】
同様に、基地局100は、第２の順序番号“２”を、ＳＹＮＣフレームの第２の組、すなわちＳＹＮＣ１−１、ＳＹＮＣ１−２、ＳＹＮＣ１−３、ＳＹＮＣ１−４に割り当てることができる。ＳＹＮＣフレームの第２の組は、基地局と第２の移動局（図示されていない）との間の第２のパケットデータセッションに対応する。基地局は、サブパケットの第２の組を、送信のために順次に順番を付けて、ＳＹＮＣフレームの第２の組をカプセル化して送ることができる。
【００１８】
移動局102は、順次に順番を付けられたサブパケットの送信された第１の組の第１のサブセットを受信することができる。この特定の例では、移動局は、ＳＹＮＣ１−１を受信せず、ＳＹＮＣ１−２を受信する。
ＰＨＹ層再送機構は、各送られたＳＹＮＣフレームに対応するＡＣＫ信号またはＮＡＫ信号を、Ｒ−ＡＣＫＣＨ上で送る。この例では、移動局102は、ＳＹＮＣ１−１を受信していない、または復元していないことに対応するＮＡＫ（１−１）を、ＳＹＮＣ１−１の期待受信から２スロット後に送る。さらに加えて、移動局102は、ＳＹＮＣ１−２の復元に成功したことに対応するＡＣＫ（１−２）を、ＳＹＮＣ１−２の期待受信の２スロット後に送る。
【００１９】
移動局102は、順次に順番を付けられたサブパケットの第１の組の受信された第１のサブセットを復号することを試みることができる。移動局は、復号に成功した順次に順番を付けられたサブパケットの第１の組の受信された第１のサブセットのサブパケットに対して、ＳＹＮＣ／ＡＣＫフレームを送ることができる。この例では、ＳＹＮＣ１−２に対応するＳＹＮＣ／ＡＣＫ１が、移動局のＲＬＰ層から、移動局のＰＨＹ層へ送られる。ＳＹＮＣ／ＡＣＫフレームは、逆方向基礎チャネル（reverse fundamental channel, R-FCH）、または同等の逆方向リンクチャネル上で送信される前に、復元されたＳＹＮＣ１−２に対応する“１”の第１の順序番号を割り当てられる。
【００２０】
基地局100は、送られたＳＹＮＣ／ＡＣＫ１を受信し、それをＲＬＰ層へ送ることができる。ＳＹＮＣ／ＡＣＫ１の受信に応答して、基地局は、ＨＡＲＱ論理チャネル上でＡＣＫフレーム ＡＣＫ１を送ることができる。ＡＣＫフレームは、送信前に、第１の順序番号、“１”を割り当てられる。
【００２１】
移動局102は、送られたＡＣＫ１を受信し、ＡＣＫ１をＲＬＰ層へ送ることができる。このときに、移動局は、Ｒ−ＦＣＨ、逆方向専用制御チャネル（reverse dedicated control channel, R-DCCH）、または逆方向補助チャネル（reverse supplemental channel, R-SCH）のような、逆方向リンクチャネル上で、パケットデータ ＤＡＴＡ１を、基地局100へ送ることができる。基地局も、データパケットセッション中に、Ｆ−ＰＤＣＨ上で、パケットデータを移動局へ送ることができる。
【００２２】
この例では、ＮＡＫ（１−１）の受信に応答して、基地局のＰＨＹ層において、ＳＹＮＣ１−１が再送される。
移動局102は、ＡＣＫフレームの受信後に受信した順次に順番を付けられたサブパケットの送信された第１の組の受信した第１のサブセットのサブパケットを識別することができる。移動局が順序番号“１”をもつＡＣＫフレームを受信したことが分かると、移動局は、同じ順序番号のＡＣＫフレームの受信後に再送され、受信されたＳＹＮＣ１−１のような、同じ順序番号のＳＹＮＣフレームを無視することができる。移動局は、識別されたサブパケットに応答して、再同期しない。
【００２３】
図２は、基地局によって採用される方法のフローチャートである。
参照番号200において、基地局100は、特定のパケットデータセッションと関係付けられるＳＹＮＣフレームに順序番号を割り当てる。参照番号202において、基地局は、Ｆ−ＰＤＣＨ上で、ＳＹＮＣフレームをカプセル化したサブパケットを順次に送信する。参照番号204において、基地局は、送信したサブパケットに対応するＡＣＫ信号またはＮＡＫ信号を受信する。参照番号206において、基地局は、ＰＨＹ層において、ＡＣＫ信号が受信されるか、またはＮＡＫ信号が受信されるかを判断する。
【００２４】
参照番号206において、基地局は、移動局によるＳＹＮＣフレームの受信の成功に対応するＡＣＫ信号が受信されたと判断すると、通常は、参照番号208において、特定の順序番号のＳＹＮＣ／ＡＣＫフレームに対応するＳＹＮＣ／ＡＣＫフレームを受信する。参照番号210において、次に、基地局は、返信において、特定の順序番号をもつＡＣＫフレームを送る。
【００２５】
参照番号206において、基地局は、ＳＹＮＣフレームを含むサブパケットの受信または復元の不成功に対応するＮＡＫ信号を受信すると、参照番号212において、基地局は、ＳＹＮＣフレームを含む復元されていないサブパケットを再送することができる。
【００２６】
図３は、移動局によって採用される方法のフローチャートである。
参照番号300において、移動局は、ＳＹＮＣフレームのサブパケットを受信する。参照番号302において、移動局は、サブパケットを復号することを試みる。参照番号304において、移動局は、サブパケットが復元に成功したか、または受信されなかったかを判断する。サブパケットが復元または受信されなかったときは、参照番号306において、移動局の再送機構は、ＮＡＫ信号を送る。サブパケットが復元または受信されたときは、参照番号308において、移動局の再送機構は、ＡＣＫ信号を送る。
【００２７】
参照番号310において、移動局は、復元されたＳＹＮＣフレームの特定の順序番号に対応する順序番号をもつＳＹＮＣ／ＡＣＫフレームを送ることができる。
参照番号312において、移動局は、復元されたＳＹＮＣフレームの特定の順序番号に対応する順序番号をもつＡＣＫフレームを受信することができる。
【００２８】
参照番号314において、移動局は、パケットデータの送信を開始することができる。
参照番号316において、移動局は、ＡＣＫフレームの受信後に受信し、かつＡＣＫフレームと同じ順序番号をもつサブパケットを識別する。移動局は、順序が狂って、かつＡＣＫフレームの受信後に送られた再送ＳＹＮＣフレームを含むこれらの識別されたサブパケットに再同期しない。
【００２９】
基地局と多数の移動局との間の多数のパケットデータセッションに対応して、多数のＳＹＮＣフレームおよびサブパケットが基地局によって送られ、多数のＡＣＫ信号および多数のＮＡＫ信号が基地局によって受信されることが分かるであろう。したがって、フローチャート内のブロックの順番は、機能を実行するためのある特定の順番を示唆することを意味していない。
【００３０】
図４は、無線通信システムにおける基地局100および移動局102のブロック図を示す。基地局および移動局は、従来のハードウエアおよびソフトウエア技術を採用することができる。上述の機能を実行するために、基地局および移動局の両者は、各論理および処理ユニット402または404、および各無線周波数ユニット406または408を含むことができる。例えば、当業者には、無線周波数ユニットが、基地局と移動局との間で信号を送受信することができ、論理および処理ユニットが、信号の論理的動作および処理を行なうことができることが分かるであろう。
【００３１】
上述の記述は、1xEV-DV通信システムをとくに参照して行ったが、同期手続きは、他のＣＤＭＡシステムにおいても使用することができる。
開示された実施形態のこれまでの記述は、当業者が本発明を作成または使用できるようにするために与えられている。当業者には、これらの実施形態に対する種々の変更は容易に明らかであり、この中で定められている一般的な原理は、本発明の意図または技術的範囲から逸脱しないならば、他の実施形態に適用してもよい。したがって、本発明は、この中に示されている実施形態に制限されることを意図されているのではなく、この中に開示されている原理および新奇な特徴に一致する最も幅広い範囲にしたがうことを意図されている。
【図面の簡単な説明】
【００３２】
【図１】同期手続きのタイミング図。
【図２】基地局が採用する方法のフローチャート。
【図３】移動局が採用する方法のフローチャート。
【図４】無線通信システム内の基地局および移動局のブロック図。
【図１】
2006510261.tif 000002
【図２】
2006510261.tif 000003
【図３】
2006510261.tif 000004
【図４】
2006510261.tif 000005
【国際調査報告】
2006510261.tif 000006
2006510261.tif 000007
2006510261.tif 000008